(57)【要約】【課題】電源部間において突入電流が発生するのを抑制することが可能な電源装置を提供する。【解決手段】この電源装置１００は、系統２００の電力を蓄電する蓄電池１を各々含み、系統２００に対して互いに並列に接続される複数の分散型電源１０と、複数の分散型電源１０同士を接続し、複数の分散型電源１０から出力される電圧の位相を調整するための電源間配線部２０とを備え、複数の分散型電源１０は、各々、分散型電源１０と電源間配線部２０との間を接続状態または非接続状態にするためのスイッチ５と、自身の分散型電源１０とは異なる他の分散型電源１０のスイッチ５のオンオフを検出する検出部９とを含む。【選択図】図１
2018074682.tif 000002
【特許請求の範囲】
【請求項１】
系統の電力を蓄電する蓄電池を各々含み、前記系統に対して互いに並列に接続される複数の電源部と、
前記複数の電源部同士を接続し、前記複数の電源部から出力される電圧の位相を調整するための第１電源間配線部とを備え、
前記複数の電源部は、各々、前記電源部と前記第１電源間配線部との間を接続状態または非接続状態にするための第１スイッチ部と、自身の前記電源部とは異なる他の前記電源部の前記第１スイッチ部のオンオフを検出する検出部とを含む、電源装置。
【請求項２】
前記検出部は、自身の前記電源部の前記第１スイッチ部をオンする前に、他の前記電源部の前記第１スイッチ部のオンオフを検出するように構成されている、請求項１に記載の電源装置。
【請求項３】
前記検出部により、他の前記電源部の前記第１スイッチ部のオン状態を検出した場合には、自身の前記電源部の前記第１スイッチ部はオンせずに、前記検出部により、他の前記電源部の前記第１スイッチ部のオン状態を検出しない場合に、自身の前記電源部の前記第１スイッチ部をオンするように構成されている、請求項２に記載の電源装置。
【請求項４】
前記複数の電源部の前記検出部同士を接続する、前記第１電源間配線部とは互いに異なる第２電源間配線部をさらに備え、
前記検出部は、前記第２電源間配線部に接続され、他の前記電源部から前記第２電源間配線部を介して流れ込む電流によりオンする第２スイッチ部と、前記第２スイッチ部に接続され、前記第２スイッチ部がオンしたことにより流れる電流に起因して、絶縁した回路間で信号の伝達を行う第１絶縁素子と、前記第２スイッチ部に接続され、自身の前記第１スイッチ部がオンすることにより流れる電流に起因して、絶縁した回路間で信号の伝達を行う第２絶縁素子とを含み、
前記第２スイッチ部は、前記第２絶縁素子に電流が流れることにより、前記第２電源間配線部を介して他の前記電源部に電流を流すように構成されている、請求項１〜３のいずれか１項に記載の電源装置。
【請求項５】
前記電源部は、３つ以上設けられており、
３つ以上の前記電源部は、互いに前記第１電源間配線部および前記第２電源間配線部により接続されている、請求項４に記載の電源装置。
【請求項６】
前記電源部は、前記系統からの交流電流を、前記蓄電池を蓄電するための直流電流に変換する電力変換部を含む、請求項１〜５のいずれか１項に記載の電源装置。
【発明の詳細な説明】
【技術分野】
【０００１】
この発明は、電源装置に関し、特に、複数の電源部が並列に接続されている電源装置に関する。
【背景技術】
【０００２】
従来、複数の電源部が並列に接続されている電源装置が知られている（たとえば、特許文献１参照）。
【０００３】
特許文献１に記載の電源装置では、並列に接続されている複数の電源部は、蓄電池に接続されている電力変換部（パワーコンディショナ）を含む。また、各電力変換部は、母線の有効・無効電力成分を検出するＰＱ検出部と、ドループ特性により有効電力成分に応じて出力周波数指令を調整する周波数調整器と、出力周波数指令を周波数補正指令により補正する周波数制御部と、を備える。すなわち、この電源装置では、電流が遅れ位相の場合、電力変換部の出力端電圧（母線の電圧）を下げ、電流が進み位相の場合、電力変換部の出力端電圧を上げる制御が行われる。これにより、複数の電源部から出力される交流電力の位相が揃えられる。
【０００４】
ここで、特許文献１のような従来の電源装置において、各電源部を配線部により配線するとともに、基準となる電源部の出力電圧を直接的に検知することによって、基準となる電源部から出力される交流電力の位相に、他の電源部から出力される交流電力の位相を合わせる構成が考えられる。
【先行技術文献】
【特許文献】
【０００５】
【特許文献１】特開２０１６−１１９８２０号公報
【発明の概要】
【発明が解決しようとする課題】
【０００６】
しかしながら、基準となる電源部の出力電圧を直接的に検知することによって、基準となる電源部から出力される交流電力の位相に、他の電源部から出力される交流電力の位相を合わせる構成では、複数の電源部間において、各電源部を接続する配線を介して、比較的大きな突入電流が流れるという問題点がある。
【０００７】
この発明は、上記のような課題を解決するためになされたものであり、電源部間において突入電流が発生するのを抑制することが可能な電源装置を提供する。
【課題を解決するための手段】
【０００８】
この発明の一の局面による電源装置は、系統の電力を蓄電する蓄電池を各々含み、系統に対して互いに並列に接続される複数の電源部と、複数の電源部同士を接続し、複数の電源部から出力される電圧の位相を調整するための第１電源間配線部とを備え、複数の電源部は、各々、電源部と第１電源間配線部との間を接続状態または非接続状態にするための第１スイッチ部と、自身の電源部とは異なる他の電源部の第１スイッチ部のオンオフを検出する検出部とを含む。
【０００９】
この発明の一の局面による電源装置では、上記のように、検出部により、自身の電源部とは異なる他の電源部の第１スイッチ部のオンオフを検出することによって、他の電源部の第１スイッチ部がオンしている状態で、自身の電源部の第１スイッチ部をオンすることを防止することができる。すなわち、自身の電源部と他の電源部とが導通する（短絡する）のを防止することができる。その結果、電源部間（自身の電源部と他の電源部との間）において突入電流の発生を抑制することができる。
【００１０】
上記一の局面による電源装置において、好ましくは、検出部は、自身の電源部の第１スイッチ部をオンする前に、他の電源部の第１スイッチ部のオンオフを検出するように構成されている。このように構成すれば、自身の電源部と第１電源間配線部とを接続させる前に、他の電源部と第１電源間配線部との接続状態を確認することができるので、他の電源部の第１スイッチ部がオンしている状態で、自身の電源部の第１スイッチ部がオンするのを確実に防止することができる。その結果、電源部間において突入電流の発生を確実に抑制することができる。
【００１１】
この場合、好ましくは、検出部により、他の電源部の第１スイッチ部のオン状態を検出した場合には、自身の電源部の第１スイッチ部はオンせずに、検出部により、他の電源部の第１スイッチ部のオン状態を検出しない場合に、自身の電源部の第１スイッチ部をオンするように構成されている。このように構成すれば、他の電源部の第１スイッチ部のオン状態を検出した場合には、自身の電源部の第１スイッチ部はオンさせないので、他の電源部の第１スイッチ部がオンしている状態で、自身の電源部の第１スイッチ部がオンするのをより確実に防止することができる。
【００１２】
上記一の局面による電源装置において、好ましくは、複数の電源部の検出部同士を接続する、第１電源間配線部とは互いに異なる第２電源間配線部をさらに備え、検出部は、第２電源間配線部に接続され、他の電源部から第２電源間配線部を介して流れ込む電流によりオンする第２スイッチ部と、第２スイッチ部に接続され、第２スイッチ部がオンしたことにより流れる電流に起因して、絶縁した回路間で信号の伝達を行う第１絶縁素子と、第２スイッチ部に接続され、自身の第１スイッチ部がオンすることにより流れる電流に起因して、絶縁した回路間で信号の伝達を行う第２絶縁素子とを含み、第２スイッチ部は、第２絶縁素子に電流が流れることにより、第２電源間配線部を介して他の電源部に電流を流すように構成されている。このように構成すれば、第１絶縁素子および第２絶縁素子によって絶縁された回路間における電気的な干渉の発生を抑制することができる。その結果、検出部を流れる電流にノイズ等が発生するのを抑制することができるので、検出部による検出精度の低下を抑制することができる。
【００１３】
上記一の局面による電源装置において、好ましくは、電源部は、３つ以上設けられており、３つ以上の電源部は、互いに第１電源間配線部および第２電源間配線部により接続されている。このように構成すれば、３つ以上の電源部の全ての電源部が、自身とは異なる他の電源部の第１スイッチ部のオンオフを検出することができる。
【００１４】
上記一の局面による電源装置において、好ましくは、電源部は、系統からの交流電流を、蓄電池を蓄電するための直流電流に変換する電力変換部を含む。このように構成すれば、電力変換部によって、系統の電力を容易に蓄電池に蓄電することができる。
【発明の効果】
【００１５】
本発明によれば、上記のように、電源部間において突入電流が発生するのを抑制することが可能な電源装置を提供することができる。
【図面の簡単な説明】
【００１６】
【図１】本発明の一実施形態による電源装置の構成を示した図である。
【図２】本発明の一実施形態による電源装置の検出部の回路構成を示した図である。
【図３】本発明の一実施形態による電源装置の配線状態を説明するための図である。
【発明を実施するための形態】
【００１７】
以下、本発明を具体化した実施形態を図面に基づいて説明する。
【００１８】
まず、図１を参照して、本実施形態による電源装置１００の構成について説明する。
【００１９】
（電源装置の構成）
図１に示すように、電源装置１００は、系統２００に対して互いに並列に接続される複数の分散型電源１０を備えている。分散型電源１０は、系統２００の電力を蓄電する蓄電池１を含む。なお、図３に示すように、電源装置１００は、３つの分散型電源１０（後述する、１つのマスター電源部１０ａと２つのスレーブ電源部１０ｂ）を備えているが、図１および図２では、２つの分散型電源１０（１つのマスター電源部１０ａと、１つのスレーブ電源部１０ｂ）間について説明している。なお、分散型電源１０、マスター電源部１０ａ、および、スレーブ電源部１０ｂは、特許請求の範囲の「電源部」の一例である。
【００２０】
電源装置１００は、系統２００の電力が不足している場合には、各分散型電源１０の蓄電池１に蓄電された電力を系統２００に供給するように構成されている。また、電源装置１００は、系統２００に余剰電力がある場合には、各分散型電源１０の蓄電池１に系統２００の余剰分の電力を蓄電するように構成されている。
【００２１】
ここで、本実施形態では、分散型電源１０は、蓄電池１に接続されている電力変換部２を含む。電力変換部２は、系統２００からの交流電流を、蓄電池１を蓄電するための直流電流に変換する。また、電力変換部２は、蓄電池１からの直流電流を交流電流に変換する。電力変換部２により変換された交流電流は、系統２００に供給される。なお、電力変換部２の系統２００側には、高周波ノイズを選択的に除去するＬＣフィルタ２ａが設けられている。
【００２２】
分散型電源１０は、電力変換部２およびＬＣフィルタ２ａの系統２００側に設けられるスイッチ３を含む。スイッチ３がオンされている場合は、電力変換部２と系統２００との間において電力の供給が可能となる。
【００２３】
各電力変換部２は、ＬＣフィルタ２ａおよびスイッチ３を介して、対応するトランス１０１に接続されている。トランス１０１により、電力変換部２からの交流電圧が昇圧される。また、各トランス１０１は、トランス１０１の系統２００側において、母線１０２に一括に接続されている。また、母線１０２と系統２００との間には、トランス１０３が設けられている。トランス１０３によって、母線１０２の交流電圧が昇圧される。
【００２４】
各分散型電源１０には、自身とは異なる他の分散型電源１０との電圧情報等のやり取りを行うためのＩ／Ｆ基板４が設けられている。自身のＩ／Ｆ基板４と、他の分散型電源１０のＩ／Ｆ基板４とは、後述する電源間配線部４ｂにより接続されている。なお、Ｉ／Ｆ基板４の動作については後述する。なお、以下では、電力変換部２からの電流とは、電力変換部２から出力され、ＬＣフィルタ２ａを通った電流のことを意味する。
【００２５】
また、電源装置１００は、複数の分散型電源１０同士を接続し、複数の分散型電源１０から出力される電圧の位相を調整するための電源間配線部２０を備えている。各分散型電源１０と電源間配線部２０とは、各分散型電源１０に設けられているスイッチ５を介して接続されている。スイッチ５がオンされることによって、電力変換部２からの電流が、スイッチ５を介して電源間配線部２０に流れる。なお、複数の分散型電源１０間の位相の調整方法については後述する。なお、電源間配線部２０およびスイッチ５は、それぞれ、特許請求の範囲の「第１電源間配線部」および「第１スイッチ部」の一例である。
【００２６】
各分散型電源１０には、自身の出力電圧の位相を制御するためのＰＬＬ調節器６と周波数制御部７とが設けられている。具体的には、複数の分散型電源１０のうちの１つの基準となる分散型電源１０（以下、マスター電源部１０ａ）の位相と略一致させるように、基準の分散型電源１０以外の分散型電源１０（以下、スレーブ電源部１０ｂ）では、自身のＰＬＬ調節器６および周波数制御部７によって位相が制御される。
【００２７】
詳細には、以下のように位相の制御を行う。まず、すべての分散型電源１０のスイッチ３がオフしてる状態で、マスター電源部１０ａのスイッチ５をオンにする。これにより、マスター電源部１０ａの電力変換部２からの出力電圧が、電源間配線部２０を介して、スレーブ電源部１０ｂのＰＬＬ調節器６に入力される。そして、スレーブ電源部１０ｂの周波数制御部７は、ＰＬＬ調節器６からの出力信号に基づいて、スレーブ電源部１０ｂの位相とマスター電源部１０ａの位相とを一致させるように制御を行う。これにより、各スレーブ電源部１０ｂの出力電圧の位相と、マスター電源部１０ａの出力電圧の位相とが略一致する。
【００２８】
各スレーブ電源部１０ｂは、位相の制御が完了した後に自身のスイッチ３をオンすることによって、系統２００に接続される。この時、ＰＬＬ調節器６の下流側（電力変換部２側）に設けられている切り替え部８が、接続点８ａから接続点８ｂにスイッチングされることにより、マスター電源部１０ａからの電流が、スレーブ電源部１０ｂのＰＬＬ調節器６に流れないようにする。
【００２９】
その後、マスター電源部１０ａでは、スイッチ５がオフされた後にスイッチ３がオンされる。その結果、マスター電源部１０ａおよびスレーブ電源部１０ｂは、位相が同期されながら独立して並列運転する。
【００３０】
ここで、本実施形態では、図２に示すように、各分散型電源１０は、自身とは異なる他の分散型電源１０のスイッチ５のオンオフを検出する検出部９を含む。たとえば、マスター電源部１０ａは、スレーブ電源部１０ｂのスイッチ５がオンしているか否かを検知する。なお、検出部９は、Ｉ／Ｆ基板４に設けられている。
【００３１】
具体的には、Ｉ／Ｆ基板４には、スイッチ５のオンオフと連動してオンオフされるスイッチ４ａが設けられている。すなわち、自身のスイッチ５がオンしている時は、自身のスイッチ４ａはオンし、自身のスイッチ５がオフしている時は、自身のスイッチ４ａはオフしている。各分散型電源１０は、他の分散型電源１０のスイッチ４ａのオンオフを判断することによって、他の分散型電源１０のスイッチ５のオンオフを判断するように構成されている。
【００３２】
また、本実施形態では、検出部９は、自身の分散型電源１０のスイッチ５をオンする前に、他の分散型電源１０のスイッチ５のオンオフを検出するように構成されている。具体的には、マスター電源部１０ａは、電源間配線部２０を介してスレーブ電源部１０ｂに電流を流すために自身のスイッチ５をオンさせる前に、スレーブ電源部１０ｂのスイッチ５のオンオフを検出部９により検出する。
【００３３】
また、本実施形態では、分散型電源１０は、検出部９により、他の分散型電源１０のスイッチ５のオン状態を検出した場合には、自身のスイッチ５はオンしない。また、分散型電源１０は、検出部９により、他の分散型電源１０のスイッチ５のオン状態を検出しない場合に、自身のスイッチ５をオンする。すなわち、マスター電源部１０ａは、スレーブ電源部１０ｂのスイッチ５がオフされていることを確認してから、自身のスイッチ５をオンする。
【００３４】
（検出部の構成）
図２に示すように、検出部９は、フォトカプラ９０を含む。フォトカプラ９０は、スイッチ４ａに接続されている。各分散型電源１０では、自身のスイッチ４ａがオンされた場合、フォトカプラ９０に、自身の電力変換部２側から電圧ＶＰ１が印加されるとともに電流が流される。なお、フォトカプラ９０は、特許請求の範囲の「第２絶縁素子」の一例である。
【００３５】
ここで、本実施形態では、各分散型電源１０のフォトカプラ９０は、自身のスイッチ５がオンすることに伴い自身のスイッチ４ａがオンすることにより流れる電流に起因して、絶縁した回路間で信号の伝達を行う。具体的には、各分散型電源１０では、フォトカプラ９０に電流が流れることにより、フォトカプラ９０のトランジスタ９０ａがスイッチングされ、電圧ＶＰ１とは異なる電圧ＶＰ２に基づく信号が、自身の制御基板に送信される。この信号により、各分散型電源１０は、自身のスイッチ４ａおよびスイッチ５がオンしていることを検知することが可能である。
【００３６】
検出部９は、フォトカプラ９０に接続されているスイッチ９１を含む。また、分散型電源１０は、複数の分散型電源１０の検出部９同士を接続する電源間配線部４ｂを備える。具体的には、自身の分散型電源１０のスイッチ９１と、他の分散型電源１０のスイッチ９１とが、電源間配線部４ｂを介して接続されている。スイッチ９１は、他の分散型電源１０から電源間配線部４ｂを介して流れ込む電流によりオンする。たとえば、マスター電源部１０ａからの電流が、スレーブ電源部１０ｂのスイッチ９１に流れ込むことによって、スレーブ電源部１０ｂのスイッチ９１はオンする。以下に、スイッチ９１の構成および動作を詳細に説明する。なお、スイッチ９１および電源間配線部４ｂは、それぞれ、特許請求の範囲の「第２スイッチ部」および「第２電源間配線部」の一例である。
【００３７】
スイッチ９１は、ｎｐｎトランジスタ９１ａとｐｎｐトランジスタ９１ｂとが直列に接続されることによって構成されている。ｎｐｎトランジスタ９１ａのエミッタと、ｐｎｐトランジスタ９１ｂのエミッタとが接続されている。フォトカプラ９０は、ｎｐｎトランジスタ９１ａおよびｐｎｐトランジスタ９１ｂのベースに接続されている。また、ｎｐｎトランジスタ９１ａのコレクタには電圧ＶＰ１が印加されている。また、電源間配線部４ｂは、ｎｐｎトランジスタ９１ａのエミッタとｐｎｐトランジスタ９１ｂのエミッタとに接続されている。
【００３８】
たとえば、マスター電源部１０ａにおいて、スイッチ４ａがオンにされ、フォトカプラ９０を通った電流がスイッチ９１に流れた場合、ｎｐｎトランジスタ９１ａおよびｐｎｐトランジスタ９１ｂのベースには電圧ＶＰ１が印加される。これにより、ｎｐｎトランジスタ９１ａのコレクタからエミッタに電流が流れ、この電流は、電源間配線部４ｂを介してスレーブ電源部１０ｂのスイッチ９１に流れ込む。この時、スレーブ電源部１０ｂにおいて、スイッチ４ａはオフされている（スイッチ９１のベースには電圧ＶＰ１は印加されていない）ので、ｐｎｐトランジスタ９１ｂのエミッタからコレクタに電流が流れる。
【００３９】
また、本実施形態では、検出部９は、スイッチ９１に接続され、スイッチ９１がオンしたことにより流れる電流に起因して、絶縁した回路間で信号の伝達を行うフォトカプラ９２を含む。具体的には、フォトカプラ９２は、スイッチ９１のｐｎｐトランジスタ９１ｂのコレクタに接続されている。すなわち、スイッチ９１のｐｎｐトランジスタ９１ｂのエミッタからコレクタに流れる電流は、フォトカプラ９２を通る。フォトカプラ９２に電流が流れることにより、フォトカプラ９２のトランジスタ９２ａがスイッチングされ、電圧ＶＰ２に基づく信号が、制御基板に送信される。なお、フォトカプラ９２は、特許請求の範囲の「第１絶縁素子」の一例である。
【００４０】
すなわち、マスター電源部１０ａのスイッチ４ａがオンされることに伴って、マスター電源部１０ａのｎｐｎトランジスタ９１ａおよびスレーブ電源部１０ｂのｐｎｐトランジスタ９１ｂがオン（マスター電源部１０ａのｐｎｐトランジスタ９１ｂおよびスレーブ電源部１０ｂのｎｐｎトランジスタ９１ａはオフ）され、スレーブ電源部１０ｂのフォトカプラ９２に電流が流れる。スレーブ電源部１０ｂは、電流が自身のフォトカプラ９２を通った際に送信される信号に基づき、マスター電源部１０ａのスイッチ４ａ（およびスイッチ５）がオンされていることを検知する。
【００４１】
また、フォトカプラ９２を通った電流は、ＧＮＤ（グランド）に流される。自身の分散型電源１０のフォトカプラ９２とＧＮＤとの間と、他の分散型電源１０のフォトカプラ９２とＧＮＤとの間とは、ＧＮＤ線４ｃによって接続されている。
【００４２】
また、本実施形態では、図３に示すように、分散型電源１０は、３つ設けられている。３つの分散型電源１０は、互いに電源間配線部２０および電源間配線部４ｂにより接続されている。すなわち、全ての分散型電源１０は、自身とは異なる他の２つの分散型電源１０と電源間配線部２０により接続されている。また、全ての分散型電源１０のＩ／Ｆ基板４は、自身とは異なる他の２つの分散型電源１０のＩ／Ｆ基板４と電源間配線部４ｂにより接続されている。また、３つの分散型電源１０のＩ／Ｆ基板４は、互いにＧＮＤ線４ｃによっても接続されている。なお、この場合、３つの分散型電源１０のうちの１つがマスター電源部１０ａであり、他の２つの分散型電源１０がスレーブ電源部１０ｂである。
【００４３】
（本実施形態の効果）
本実施形態では、以下のような効果を得ることができる。
【００４４】
本実施形態では、上記のように、電源装置１００は、系統２００の電力を蓄電する蓄電池１を各々含み、系統２００に対して互いに並列に接続される複数の分散型電源１０と、複数の分散型電源１０同士を接続し、複数の分散型電源１０から出力される電圧の位相を調整するための電源間配線部２０とを備える。そして、複数の分散型電源１０が、各々、分散型電源１０と電源間配線部２０との間を接続状態または非接続状態にするためのスイッチ５と、自身の分散型電源１０とは異なる他の分散型電源１０のスイッチ５のオンオフを検出する検出部９とを含むように、電源装置１００を構成する。これにより、検出部９により、自身の分散型電源１０とは異なる他の分散型電源１０のスイッチ５のオンオフを検出することによって、他の分散型電源１０のスイッチ５がオンしている状態で、自身の分散型電源１０のスイッチ５をオンすることを防止することができる。すなわち、自身の分散型電源１０と他の分散型電源１０とが導通する（短絡する）のを防止することができる。その結果、分散型電源１０間（自身の分散型電源１０と他の分散型電源１０との間）において突入電流の発生を抑制することができる。
【００４５】
また、本実施形態では、上記のように、検出部９が、自身の分散型電源１０のスイッチ５をオンする前に、他の分散型電源１０のスイッチ５のオンオフを検出するように、電源装置１００を構成する。これにより、自身の分散型電源１０と電源間配線部２０とを接続させる前に、他の分散型電源１０と電源間配線部２０との接続状態を確認することができるので、他の分散型電源１０のスイッチ５がオンしている状態で、自身の分散型電源１０のスイッチ５がオンするのを確実に防止することができる。その結果、分散型電源１０間において突入電流の発生を確実に抑制することができる。
【００４６】
また、本実施形態では、上記のように、検出部９により、他の分散型電源１０のスイッチ５のオン状態を検出した場合には、自身の分散型電源１０のスイッチ５はオンせずに、検出部９により、他の分散型電源１０のスイッチ５のオン状態を検出しない場合に、自身の分散型電源１０のスイッチ５をオンするように、電源装置１００を構成する。これにより、自身の分散型電源１０は、他の分散型電源１０のスイッチ５がオンされていない状態で、自身の分散型電源１０のスイッチ５をオンさせることができる。これにより、他の分散型電源１０のスイッチ５のオン状態を検出した場合には、自身の分散型電源１０のスイッチ５はオンさせないので、他の分散型電源１０のスイッチ５がオンしている状態で、自身の分散型電源１０のスイッチ５がオンするのをより確実に防止することができる。
【００４７】
また、本実施形態では、上記のように、検出部９が、電源間配線部４ｂに接続され、他の分散型電源１０から電源間配線部４ｂを介して流れ込む電流によりオンするスイッチ９１と、スイッチ９１に接続され、スイッチ９１がオンしたことにより流れる電流に起因して、絶縁した回路間で信号の伝達を行うフォトカプラ９２と、スイッチ９１に接続され、自身のスイッチ５がオンすることにより流れる電流に起因して、絶縁した回路間で信号の伝達を行うフォトカプラ９０とを含むように、電源装置１００を構成する。さらに、スイッチ９１が、フォトカプラ９０に電流が流れることにより、電源間配線部４ｂを介して他の分散型電源１０に電流を流すように、電源装置１００を構成する。これにより、フォトカプラ９２およびフォトカプラ９０によって絶縁された回路間における電気的な干渉の発生を抑制することができる。その結果、検出部９を流れる電流にノイズ等が発生するのを抑制することができるので、検出部９による検出精度の低下を抑制することができる。
【００４８】
また、本実施形態では、上記のように、分散型電源１０が、３つ設けられており、３つの分散型電源１０が、互いに電源間配線部２０および電源間配線部４ｂにより接続されているように、電源装置１００を構成する。これにより、３つの分散型電源１０の全ての分散型電源１０が、自身とは異なる他の分散型電源１０のスイッチ５のオンオフを検出することができる。
【００４９】
また、本実施形態では、上記のように、分散型電源１０が、系統２００からの交流電流を、蓄電池１を充電するための直流電流に変換する電力変換部２を含むように、電源装置１００を構成する。これにより、電力変換部２によって、系統２００の電力を容易に蓄電池１に充電することができる。
【００５０】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５１】
たとえば、上記実施形態では、分散型電源１０が３つ設けられている構成の例を示したが、本発明はこれに限られない。たとえば、分散型電源１０が２つまたは４つ以上設けられていてもよい。
【００５２】
また、上記実施形態では、検出部９に２つのフォトカプラ（９０、９２）が設けられている構成の例を示したが、本発明はこれに限られない。たとえば、トランスなどの絶縁素子を用いてもよい。
【００５３】
また、上記実施形態では、分散型電源１０が、系統２００への電力の送電（供給）と、系統２００からの電力の受電との両方を行うことが可能である構成の例を示したが、本発明はこれに限られない。たとえば、分散型電源１０は、系統２００に対しては、電力の送電（供給）は行わず電力の受電のみを行う、無停電電源であってもよい。この場合の無停電電源に含まれる電力変換部は、上記実施形態の電力変換部２とは異なり、系統２００の交流電流を蓄電池１に蓄電するための直流電流に変換する機能のみを有し、蓄電池１からの直流電流を系統２００への電力の送電のために交流電流に変換する機能は有しない。
【符号の説明】
【００５４】
１  蓄電池
２  電力変換部
４ｂ  電源間配線部（第２電源間配線部）
５  スイッチ（第１スイッチ部）
９  検出部
１０  分散型電源（電源部）
１０ａ  マスター電源部（電源部）
１０ｂ  スレーブ電源部（電源部）
２０  電源間配線部（第１電源間配線部）
９０  フォトカプラ（第２絶縁素子）
９１  スイッチ（第２スイッチ部）
９２  フォトカプラ（第１絶縁素子）
１００  電源装置
２００  系統
【図１】
2018074682.tif 000003
【図２】
2018074682.tif 000004
【図３】
2018074682.tif 000005